(57)【特許請求の範囲】
【請求項１】
スイッチ本体に対して軸芯周りで捻り自在、かつ、この軸芯に沿う方向の複数のシフト位置に設定自在な筒状の操作部材を備えると共に、この操作部材の内部空間に前記スイッチ本体に支持される支持体を備え、この支持体と前記操作部材との間に対して、操作部材を前記複数のシフト位置に操作した際に係合状態に達する位置保持機構を形成し、又、夫々のシフト位置で操作部材を捻り操作した際に接触することで導通し、この捻り操作を電気的に検出する端子と電気接点とを備え、
前記端子は、前記スイッチ本体の内部において前記軸芯の側に露出し、かつ、前記操作部材を捻り操作した際に操作部材と一体作動する部材に形成され、前記電気接点は、前記スイッチ本体の内部において前記軸芯と反対側で前記端子に向けて露出し、かつ、前記支持体に形成され、
前記位置保持機構が、前記複数のシフト位置に対応した位置に凹状あるいは孔状の係合部を独立して形成した係合部材と、この係合部材に係脱するボールと、このボールを係合部材の側に付勢するバネとを有して構成され、前記係合部が前記操作部材のシフト位置に対応する位置において、操作部材の捻り方向に沿って滑らかにボールの移動を許すために、シフト方向に沿う寸法より前記捻り方向に沿う寸法を長くした形状で前記係合部材に形成され、
前記係合部において前記捻り操作方向に沿う方向での中央位置に前記ボールが位置する状態を前記操作部材の中立姿勢に設定し、この中立姿勢に前記操作部材を付勢維持するトーションバネを備え、前記中立姿勢を基準にして前記操作部材が正方向と逆方向との何れに操作された場合でも、その捻り操作を検出するよう前記操作部材が正方向に操作された際に前記電気接点に接触して導通する端子と、前記操作部材が逆方向に操作された際に前記電気接点に接触して導通する端子との一対の端子を備え、前記トーションバネが、前記操作部材の内部で前記スイッチ本体を取り囲む位置に配置されるように環状に形成されているスイッチ機構。
【請求項２】
前記支持体が、基板と、この基板に固定されたジャックコネクタとで成ると共に、基板の表面に対して前記電気接点を形成し、ジャックコネクタは、操作部材の端部側から前記軸芯に沿ってプラグの挿入を許すよう構成されている請求項１記載のスイッチ機構。
【請求項３】
前記操作部材と一体回転する環状の回転部材を備え、この回転部材の内周面に対して前記端子を形成すると共に、この回転部材に対して突出片を突出形成し、前記操作部材を前記シフト位置同士の中間位置で捻り操作を行おうとした際に、この突出片と接当して捻り操作を阻止する規制部を前記スイッチ本体に形成してある請求項１又は２記載のスイッチ機構。
【発明の詳細な説明】
【０００１】
【発明の属する技術分野】
本発明は、スイッチ機構に関し、詳しくは、スイッチ本体に対して捻り操作自在に支持された操作部材を備えたスイッチ機構に関する。
【０００２】
【従来の技術】
携帯可能なＭＤプレーヤやＣＤプレーヤを制御するためのスイッチ機構を例に挙げると、プレーヤ本体やリモートコントローラに対してプレーヤのモータの制御や、音量を制御するためのスイッチ機構を備えており、このスイッチ機構として、操作部材を捻り操作することにより電気的な導通状態に達する構造のものも考えられている。
【０００３】
【発明が解決しようとする課題】
例えば、ＭＤプレーヤやＣＤプレーヤにおける制御の種類を考えるに、再生、停止、頭出しや早送り等のモータ類の制御の他に音量の調節も必要である。従って、これらの個々の制御に対応してスイッチ機構を備えることを想定すると、スイッチ機構を操作する操作部材の数が多くなる結果、この操作部材を配置する空間を確保するためにプレーヤやコントローラが大型化する弊害に繋がることが考えられる。この大型化を避けるために操作部材のサイズを小さくすることを想定すると、指先や爪先での操作が困難になり操作部材の操作性を損なう不都合に繋がることが考えられる。この観点から、例えば、操作部材を押込んだ位置での捻り操作と、操作部材を引出した位置での捻り操作とで異なるスイッチ類を操作して複数の制御を可能にすること、即ち、操作部材の兼用化によって前述した不都合を解消することも考えられる。しかし、操作部材を兼用化したところで、複数のスイッチ類を単純に組み合わせるものではスイッチ機構を小型化することが出来ず、合理的に小型化を可能にする技術が望まれていた。
【０００４】
本発明の目的は、操作部材の複合的な操作に基づいて夫々の操作を電気的に検出可能なスイッチ機構を構成する点にある。
【０００５】
【課題を解決するための手段】
本発明の請求項１に係るスイッチ機構の特徴、作用・効果は次の通りである。
〔特徴〕
スイッチ本体に対して軸芯周りで捻り自在、かつ、この軸芯に沿う方向の複数のシフト位置に設定自在な筒状の操作部材を備えると共に、この操作部材の内部空間に前記スイッチ本体に支持される支持体を備え、この支持体と前記操作部材との間に対して、操作部材を前記複数のシフト位置に操作した際に係合状態に達する位置保持機構を形成し、又、夫々のシフト位置で操作部材を捻り操作した際に接触することで導通し、この捻り操作を電気的に検出する端子と電気接点とを備え、前記端子は、前記スイッチ本体の内部において前記軸芯の側に露出し、かつ、前記操作部材を捻り操作した際に操作部材と一体作動する部材に形成され、前記電気接点は、前記スイッチ本体の内部において前記軸芯と反対側で前記端子に向けて露出し、かつ、前記支持体に形成され、
前記位置保持機構が、前記複数のシフト位置に対応した位置に凹状あるいは孔状の係合部を独立して形成した係合部材と、この係合部材に係脱するボールと、このボールを係合部材の側に付勢するバネとを有して構成され、前記係合部が前記操作部材のシフト位置に対応する位置において、操作部材の捻り方向に沿って滑らかにボールの移動を許すために、シフト方向に沿う寸法より前記捻り方向に沿う寸法を長くした形状で前記係合部材に形成され、
前記係合部において前記捻り操作方向に沿う方向での中央位置に前記ボールが位置する状態を前記操作部材の中立姿勢に設定し、この中立姿勢に前記操作部材を付勢維持するトーションバネを備え、前記中立姿勢を基準にして前記操作部材が正方向と逆方向との何れに操作された場合でも、その捻り操作を検出するよう前記操作部材が正方向に操作された際に前記電気接点に接触して導通する端子と、前記操作部材が逆方向に操作された際に前記電気接点に接触して導通する端子との一対の端子を備え、前記トーションバネが、前記操作部材の内部で前記スイッチ本体を取り囲む位置に配置されるように環状に形成されている点にある。
【０００６】
〔作用・効果〕
上記特徴によると、操作部材を複数のシフト位置に操作した場合には位置保持機構からの感触や、クリック音によって操作部材がシフト位置まで操作されたことを判別でき、更に、この操作部材を捻り操作することで端子との接触により電気接点が導通状態に達し、この操作を電気的に検出できるものとなる。又、筒状の操作部材の内部に配置した支持体と操作部材との間に位置保持機構を形成し、操作部材と一体作動する端子を支持体に形成した電気接点と接触するよう構成したので、操作部材の内部空間を有効に利用して全体のコンパクト化と、操作部材の兼用化とを可能にするばかりで無く、支持体を位置保持機構の支持用の部材と、電気接点形成用の部材とに兼用して部品点数の低減を可能にする。その結果、小型で良好な操作感覚を得ると共に、操作部材を複数の操作位置に設定した状態で捻り操作を電気的に検出すると云う複合的な操作で多数の操作形態を検出可能なスイッチ機構が合理的に構成されたのである。更に、操作部材をシフト方向に操作した場合には、係合部からボールが離脱した後に次の係合部に係合する際にクリック感を作り出し、操作部材を捻り操作した場合には、係合部にボールが係合した状態での操作となるので円滑な操作を実現し、この捻り操作を解除した場合には、トーションバネの付勢力によって操作部材を中立姿勢に維持できる。
【０００９】
本発明の請求項２に係るスイッチ機構の特徴、作用・効果は次の通りである。
〔特徴〕
請求項１のスイッチ機構において、前記支持体が、基板と、この基板に固定されたジャックコネクタとで成ると共に、基板の表面に対して前記電気接点を形成し、ジャックコネクタは、操作部材の端部側から前記軸芯に沿ってプラグの挿入を許すよう構成されている点にある。
【００１０】
〔作用・効果〕
上記特徴によると、基板とジャックコネクタとを連結固定することにより、比較的強固な構造となる支持体を構成するので、位置保持機構を安定的に支持でき、電気接点からの信号も、ジャックコネクタに対する信号も基板を介して無理なく伝え得るものとなる。その結果、基板とジャックコネクタとを連結固定すると云う比較的簡単な構造によって位置保持機構を安定的に作動させ、電気信号の伝達にも無理のないものとなった。
【００１３】
本発明の請求項３に係るスイッチ機構の特徴、作用・効果は次の通りである。
〔特徴〕
請求項１又は２のスイッチ機構において、前記操作部材と一体回転する環状の回転部材を備え、この回転部材の内周面に対して前記端子を形成すると共に、この回転部材に対して突出片を突出形成し、前記操作部材を前記シフト位置同士の中間位置で捻り操作を行おうとした際に、この突出片と接当して捻り操作を阻止する規制部を前記スイッチ本体に形成してある点にある。
【００１４】
〔作用・効果〕
上記特徴によると、操作部材を捻り操作した場合には、回転部材の内周面に形成された端子を電気接点に接触させて導通状態を作り出すことが可能となり、又、操作部材をシフト位置同士の中間で捻り操作した場合には、回転部材に形成された突出片がスイッチ本体の規制部に接触して捻り操作が阻止されるものとなる。その結果、操作部材を適正なシフト位置に確実に設定した状態でのみ捻り操作を可能にして不適正な操作を阻止するものとなった。
【００１５】
【発明の実施の形態】
以下、本発明の実施の形態を図面に基づいて説明する。
図１にはＭＤプレーヤやＣＤプレーヤで代表される携帯型のオーディオプレーヤＰと、このプレーヤＰに対して接続、及び、分離自在なコントローラＣと、このコントローラＣに対して接続、及び、分離自在なイヤホンＥとを示している。このコントローラＣはプレーヤＰの制御とイヤホンＥの音量の調節とを可能にすると共に、イヤホンＥ、あるいは、ヘッドホン（図示せず）の中継手段として機能する。
【００１６】
プレーヤＰは、筐体１に対してＭＤやＣＤ等のメディアの挿抜を可能にするよう開閉自在となる蓋体２を備えると共に、メディアを駆動するドライブを内蔵し、筐体１の所定の側面には停止再生、巻戻し、早送り等の制御、及び、これらの制御の他に音量の調節を行うスイッチ類の操作を行う操作体３を備えている。この筐体１の異なる側面には前記コントローラＣのコントローラプラグ５の挿入を許すコントローラジャック４が形成されている。前記イヤホンＥは、イヤホンプラグ６に接続するコード７から分岐するコードの先端に一対のイヤホン本体８、８を備え、この一対のイヤホン本体８、８に音声信号を伝えるよう構成されている。
【００１７】
図１及び図２に示すように、コントローラＣは略角柱状となる本体ケース１０の一方の端部に前記コントローラプラグ５に接続するコード１１を備え、該本体ケース１０の外面に対して、プレーヤＰの制御を行うために本体ケース１０に内蔵された複数のスイッチ（図示せず）に対応する操作体１２と、各種情報を表示する液晶ディスプレイ１３と、このコントローラＣを衣服ポケットや襟等に留め付けるためにバネで閉じ姿勢に付勢されたクリップ１４とを備え、又、この本体ケース１０の内部には、スイッチからの信号の処理や、液晶ディスプレイ１３を制御を行う制御用の基板を備えている。この本体ケース１０他方の端部にイヤホンプラグ６の挿入を許すジャックコネクタ１５（図３を参照）を備え、更に、この端部に対して押込み位置Ａと、引出し位置Ｂとの２位置にシフト操作自在、かつ、夫々の位置（シフト位置）Ａ、Ｂで捻り操作自在な操作部材１６を有するスイッチ機構ＳＷを備えている。
【００１８】
このスイッチ機構ＳＷは、例えば図２（イ）に示すように、操作部材１６を押込み位置Ａにセットした状態で一方に捻り操作することで、音声の再生を行い（既に再生状態にある場合には早送りあるいは頭出しを行い）、他方に捻り操作することで巻戻しを行い、（既に再生状態にある場合には再生状態での巻戻しを行い）、又、図２（ロ）に示すように、操作部材１６を引出し位置Ｂにセットした状態で一方に捻り操作することで音量の増大を行い、他方に捻り操作することで音量の低減を行えるよう構成されている。
【００１９】
図３〜図７に示すように、前記本体ケース１０（スイッチ本体１０の一例）における前記他方の端部に対して、この本体ケース１０の長手方向に沿う姿勢の軸芯Ｚを中心とする円筒状のスリーブ１７を本体ケース１０に一体形成し、このスリーブ１７に対して、円筒状の前記操作部材１６を軸芯Ｚに沿う方向にシフト操作自在、かつ、軸芯Ｚを中心として捻り操作自在に外嵌してある。このスリーブ１７の外端部（反本体ケース側）にホルダ１９を係合固定することで該操作部材１６を抜け止め状態で保持しており、スリーブ１７の内部に基板２０と前記ジャックコネクタ１５とを連結して成る支持体Ｄを配置し、このジャックコネクタ１５のプラグ挿入部１５Ａの孔部の中心位置を前記軸芯Ｚ上に配置した状態で、そのプラグ挿入部１５Ａの端部をホルダ１９に穿設した開口１９Ａに嵌め込んで、該ジャックコネクタ１５の保持を行い、又、ジャックコネクタ１５と操作部材１６との間に位置保持機構Ｆを備えている。
【００２０】
詳述すると、スリーブ１７の外周面に操作部材１６の内周面が摺接して芯ブレ無く安定的に回転するよう寸法関係を設定すると共に、このスリーブ１７の内部に本体ケース側の内壁面２４と一体化した筒状の保持部２５を形成し、この保持部２５の内部に前記支持体Ｄの保持空間を形成してある。このスリーブ１７の開口側（外端側）には前記ホルダ１９に形成した一対の係合片１９Ｂ、１９Ｂが係入する一対の係合孔１７Ｂ、１７Ｂを穿設すると共に、スリーブ１７の開口の端部に一対の切り欠き部１７Ａ、１７Ａを形成してある。
【００２１】
前記操作部材１６の内部には軸芯Ｚを中心として放射方向に形成した一対のブリッジ状部１６Ａ、１６Ａを介して筒状部２６を一体形成してあり、この筒状部２６の内端側（本体ケース側）にトーションバネ２７を係合保持すると共に、このトーションバネ２７と重ね合わせる状態でリング状の回転部材２８を係合保持してある。又、スリーブ１７の内面にはトーションバネ２７の端部が係合する係合溝１７Ｃ、１７Ｃを軸芯方向に沿って溝状に形成している。
【００２２】
前記基板２０の反ジャックコネクタ側の面には図７（イ）、（ロ）に示すように、銅合金等の良導体で成る電気接点Ｈがプリント配線の技術によって形成され、この基板２０には電気接点Ｈと導通する回路と、前記ジャックコネクタ１５の内部に形成した接点（イヤホンプラグ６と接触する接点）と導通する回路とがプリント配線の技術によって形成され、これらの回路と導通するフレキシブルプリント配線２９を基板２０の端部に備えている。そして、支持体Ｄを保持部２５に保持した状態において、フレキシブルプリント配線２９の側の基板２０の一部が前記内壁面２４を挿通する状態で本体ケース１０の内部に入り込むよう、内壁面２４には開口２４Ａが穿設されている。尚、このフレキシブルプリント配線２９の端部は本体ケース１０の内部において制御基板と電気的に接続する。
【００２３】
前記電気接点Ｈは、基板２０の幅方向での中央位置に配置されるグランド部３０ｇと、このグランド部３０ｇを基準にして基板２０の幅方向での両側部に配置され、かつ、軸芯方向に分離する一対ずつの検出部３０ａ、３０ａ、３０ｂ、３０ｂとを備えて構成されている。
【００２４】
前記回転部材２８には、軸芯Ｚの側（回転部材２８のリング部位の中心側）に露出する形態で銅合金等の良導体で成る一対の端子３１、３１を備えており、この端子３１、３１と隣接する位置に一対の突出片３２、３２を形成している。そして、操作部材１６を捻り操作した際には、操作部材１６と一体的に回転部材２８の姿勢が変化して、図８（ロ）に示す如く、一対の端子３１、３１のうちの一方が、前記電気接点Ｈに接触して、グランド部３０ｇと、何れかの検出部３０ａ、３０ｂとを導通状態にするものとなる（シフト操作と関連した導通の形態は後述する）。
【００２５】
前記位置保持機構Ｆは、スイッチ機構ＳＷを組み立てた状態において、ジャックコネクタ１５の外面に固設した金属板製の係合部材３４と、操作部材１６の内面に支持したスチールボール３５とを備えて成り、係合部材３４には軸芯Ｚ方向に離間した位置に係合部として操作部材の捻り方向に、その長手方向が沿う姿勢の長孔３４Ａ、３４Ａを穿設し、スチールボール３５はコイルバネ３６で突出付勢される状態で保持板３７を介して操作部材１６の内面に保持されている。
【００２６】
このような構造を採用することにより、スイッチ機構ＳＷを組み立てる際には、操作部材１６の内面に対して保持板３７を介してスチールボール３５を保持し、ジャックコネクタ１５の外面に係合部材３４を支持し、このジャックコネクタ１５と基板２０とを連結固定した状態で、この支持体Ｄの一方の端部を保持部２５に対して係合支持し、操作部材１６の筒状部２６にトーションバネ２７と回転部材２８とを支持した後に、操作部材１６をスリーブ１７に外嵌させるよう軸芯方向に沿って挿入し、次に、スリーブ１７の係合孔１７Ｂ、１７Ｂに対して、その係合片１９Ｂ、１９Ｂが係合する位置に達するまでホルダ１９を押し込み操作することにより、このホルダ１９がスリーブ１７に連結する結果、このホルダ１９で操作部材１６の抜け止めを行うと同時に、ホルダ１９の中央位置の開口１９Ａにジャックコネクタ１５のプラグ挿入部１５Ａの外端部が係合する状態に達して支持体Ｄの位置が決まり、係合部材３４の長孔３４Ａに対してスチールボール３５が係合してスイッチ機構ＳＷが完成する。
【００２７】
この組み立て状態においてはスリーブ１７の切り欠き部１７Ａに対して操作部材１６のブリッジ部１６Ａが入り込む形態となり、この切り欠き部１７Ａとブリッジ部１６Ａとの周方向での隙間に対応する角度だけ本体ケース１０に対して操作部材１６が捻り操作自在となると共に、切り欠き部１７Ａとブリッジ部１６Ａとの軸芯方向での隙間に対応する量だけ操作部材１６がシフト操作自在となる。そして、トーションバネ２７の両端部が筒状部２６の凹部２６Ａ、２６Ａに入り込んだ状態でスリーブ１７の係合溝１７Ｃ、１７Ｃに係入することで操作部材１６を、図９（イ）に示す中立姿勢Ｎに付勢維持すると共に、この中立姿勢Ｎを基準にして周方向に沿う両方向に捻り操作出来、更に、操作部材１６を軸芯に沿う方向にシフト操作出来るものとなる。
【００２８】
操作部材１６を中立姿勢Ｎから捻り操作した場合には、図９（ロ）に示すように、一方の凹部２６Ａと係合溝１７Ｃとの間においてトーションバネ２７の端部が周方向に変位し得る量だけ操作部材１６の捻りが許されるものとなる。
【００２９】
前記位置保持機構Ｆは、操作部材１６を押込み位置Ａから引出し位置Ｂへシフト操作した場合、及び、逆方向にシフト操作した場合には係合部材３４の一方の長孔３４Ａからスチールボール３５が離脱した後、他方の長孔３４Ａに対してスチールボール３５係入することによりクリック感を現出し、クリック音を発生させる同時に、操作部材１６を夫々の位置Ａ、Ｂに保持するものとなり、更に、夫々の長孔３４Ａ、３４Ａの長手方向を操作部材１６の捻り方向に沿うよう姿勢を設定してあるので、操作部材１６を軸芯Ｚ周りで捻り操作した場合には、係合部材３４の長孔３４Ａの長手方向に沿ってスチールボール３５が滑らかに移動する結果、円滑な捻り操作を許すようになっている。
【００３０】
前記回転部材２８に形成した一対の突出片３２は基端側に図７（イ）、（ロ）に示す方向視で狭小化するネック部３２Ａを形成してあり、操作部材１６を押込み位置Ａにセットした場合には、図７（イ）に示すように、突出片３２が内壁面２４の開口２４Ａから本体ケース１０の側に入り込み、ネック部３２Ａが開口２４Ａの部位に存在するよう位置関係を設定し、又、操作部材１６を引出し位置Ｂにセットした場合には、図７（ロ）に示すように、突出片３２が内壁面２４Ａよりホルダ１９の側に存在するよう位置関係を設定してある。
【００３１】
そして、操作部材１６を押込み位置Ａにセットした状態で捻り操作した場合には、図８（ロ）に示すように、ネック部３２Ａが開口２４Ａの部位に入り込むことで操作部材１６の捻り操作を許容するものとなり、又、操作部材１６を引出し位置Ｂにセットした状態で捻り操作した場合には、突出片３２が内壁面２４よりホルダ側で作動するので操作部材１６の捻り操作を許容するものとなり、操作部材１６を押込み位置Ａと引出し位置Ｂとの中間位置にセットした状態では内壁面２４の開口２４Ａの部位に突出片３２が位置するので、操作部材１６を何れの方向に捻り操作しようとしても、突出片３２が開口２４Ａの開口縁に接触することにより捻り操作が阻止される。換言すると操作部材１６を捻り操作した状態においては操作部材１６をシフト操作しようとしても、開口２４に対して何れか一方の突出片３２が接当することにより該操作部材１６のシフト操作を行えないものにしている。
【００３２】
図７（イ）、（ロ）に示すように、操作部材１６を押込み位置Ａ、あるいは、引出し位置Ｂにセットした状態で、該操作部材１６が中立姿勢Ｎ（非操作状態）にある場合には、図８（イ）に示すように、電気接点Ｈを構成するグランド部３０ｇと一対ずつの検出部３０ａ、３０ａ、３０ｂ、３０ｂとを離間形成して非導通状態にしてあり、操作部材１６を押込み位置Ａに設定した状態で操作部材１６を捻り操作した場合には、グランド部３０ｇと検出部３０ａとに対して同時に端子３１が接触して導通状態に達することにより検出部３０ａの電位をグランドレベルまで低下させ、これと同様に、操作部材１６を引出し位置Ｂに設定した状態で操作部材１６を捻り操作した場合には、グランド部３０ｇと検出部３０ｂとに対して同時に端子３１が接触して導通状態に達することにより検出部３０ｂの電位をグランドレベルまで低下させる結果、検出部の電位から操作部材１６の４種の捻り操作を電気的に検出できるものとなっている。
【００３３】
このように本発明では、操作部材１６の内部位置にスイッチ機構ＳＷを構成する主要部品を配置したので、このスイッチ機構ＳＷを構成する部材を本体ケース１０の内部に配置するものと比較して小型化が可能になるばかりで無く、この操作部材１６の内部に対してスイッチ機構ＳＷを構成する基板２０と一体化した状態でジャックコネクタ１５を配置したので、この操作部材１６の端部側からイヤホンＥのイヤホンプラグ６の挿抜を可能にするものとなり、例えば、このイヤホンプラグ６を本体ケース１０に対して斜め姿勢で挿抜するものと比較した場合に、本体ケース１０が簡素化するばかりか、本体ケース１０の長手方向に対してイヤホンプラグ６の挿抜を行うので操作形態に無理がない。しかも、操作部材１６の内部に位置保持機構Ｆを配置し、操作部材１６のシフト操作時には位置保持機構Ｆからクリック感を与えるばかりで無く、クリック音を発生させ得るので、操作部材１６が操作位置に達したことを確実に把握できるものとなってり、又、操作部材を押込み位置Ａと引出し位置Ｂとの何れの操作位置にも保持するので、操作部材から手を離した後に、捻り操作する場合でも必要とする操作を確実に行えるものとなっている。
【００３４】
〔別実施の形態〕
本発明は上記実施の形態以外に、例えば、本発明のスイッチ機構をプレーヤ等の本体に備えることが可能であり、操作部材のシフト位置を３箇所以上に設定することも可能である。又、コントローラＣは円筒状とされた操作部材１６にあわせた略円柱状となる本体ケースとすることも可能である。
【図面の簡単な説明】
【図１】プレーヤとコントローラとイヤホンとを示す全体斜視図
【図２】操作部材を押込み位置と引出し位置とに設定した状態を示す図
【図３】スイッチ機構の分解斜視図
【図４】操作部材とトーションバネと回転部材とを示す斜視図
【図５】スイッチ機構の縦断正面図
【図６】スイッチ機構の縦断側面図
【図７】操作部材を押込み位置と引出し位置とに設定した状態におけるスイッチ機構の横断平面図
【図８】操作部材が中立位置と捻り操作位置とにある状態での縦断側面図
【図９】操作部材が押込み位置と引出し位置とにある状態でのトーションバネの状態を示す縦断側面図
【符号の説明】
１０            スイッチ本体
１６            操作部材
１５            ジャックコネクタ
２０            基板
２７            トーションバネ
２８            回転部材
３２            突出片
３４            係合部材
３４Ａ          係合部
３５            ボール
３６            バネ
Ａ、Ｂ          シフト位置
Ｄ              支持体
Ｆ              位置保持機構
Ｈ              電気接点
Ｎ              中立姿勢
Ｚ              軸芯
【図１】
0004056240.tif 000002
【図２】
0004056240.tif 000003
【図３】
0004056240.tif 000004
【図４】
0004056240.tif 000005
【図５】
0004056240.tif 000006
【図６】
0004056240.tif 000007
【図７】
0004056240.tif 000008
【図８】
0004056240.tif 000009
【図９】
0004056240.tif 000010